(57)【要約】【課題】布基礎や配管等の立ち上がり部と土間コンクリートとの境界部分に隙間が生じた場合でも隙間を遮蔽することができる防蟻部材、建物基礎の製造方法、防蟻方法を提供する。【解決手段】型枠パネル１００の型枠面１０２に防蟻部材１０の遮蔽部２４の一部を含む土間側部材１２を型枠面１０２に沿わせた状態で固定して布基礎２００となるコンクリートを打設する。打設後に型枠パネル１００を脱型し、布基礎２００から防蟻部材１０の遮蔽部２４の一部を含む土間側部材１２を折り曲げることにより布基礎２００から突出させる。突出させた前記土間側部材１２を土間コンクリート３００にて埋設しつつ布基礎２００に打ち継ぐ。土間コンクリート３００の布基礎２００に対する打ち継ぎ面には遮蔽部が配置されているため、両者の間に隙間が形成されても、防蟻部材は土間コンクリート３００と布基礎２００との間を横断するように遮蔽する。【選択図】図６
2010043464.tif 000002
【特許請求の範囲】
【請求項１】
建築物の基礎又は配管における地面からの立ち上がり部と該立ち上がり部に対して打設される土間コンクリートとの境界部分に配設される防蟻部材であって、
該防蟻部材は、シロアリの通過を阻止する遮蔽部を備え、
該遮蔽部は前記立ち上がり部と土間コンクリートとの境界部分に沿って延び、前記遮蔽部の立ち上がり部側の側縁部は前記立ち上がり部における境界部分に沿って立ち上がり部に埋設或いは当接され、前記遮蔽部の土間コンクリート側の側縁部は土間コンクリートに埋設されることを特徴とする防蟻部材。
【請求項２】
前記遮蔽部の立ち上がり部側の側縁部が前記立ち上がり部内に埋設されることにより、立ち上がり部と土間コンクリートとの境界部分を遮蔽することを特徴とする請求項１に記載の防蟻部材。
【請求項３】
前記防蟻部材は、型枠パネルに固定されるものであり、防蟻部材を型枠パネルに固定した状態で前記立ち上がり部と土間コンクリートの境界部分に沿う方向における隣接する遮蔽部同士が重なり合う重なり部が形成される長さとなっていることを特徴する請求項１又は２に記載の防蟻部材。
【請求項４】
前記立ち上がり部は布基礎であり、
前記防蟻部材には、前記遮蔽部の土間コンクリート側の側縁部に連続して形成され、全体が土間コンクリートに埋設される土間コン埋設部を備えていることを特徴とする請求項１乃至３のいずれか一項に記載の防蟻部材。
【請求項５】
前記防蟻部材は、同防蟻部材を型枠パネルに固定させるための支持部を備えていることを特徴とする請求項１乃至４のいずれか一項に記載の防蟻部材。
【請求項６】
前記立ち上がり部は、配管であり、
前記遮蔽部は、前記配管側の側縁部が配管の外周に沿って形成され前記配管の外周に当接することを特徴とする請求項１に記載の防蟻部材。
【請求項７】
布基礎用型枠パネルの型枠面に防蟻部材を固定して布基礎となるコンクリートを打設し、前記布基礎用型枠パネルを脱型した後に防蟻部材の遮蔽部の少なくとも一部を布基礎から突出させて、突出させた前記遮蔽部を土間コンクリートにて埋設し、布基礎と土間コンクリートとの境界部分を遮蔽することを特徴とする建物基礎の製造方法。
【請求項８】
前記突出させた遮蔽部は、布基礎となるコンクリートの打設時には、布基礎用型枠パネルの型枠面に沿う方向に配置させておき、布基礎用型枠パネルを脱型した後に遮蔽部の向きを布基礎から突出する方向へと変更することを特徴とする請求項７に記載の建物基礎の製造方法。
【請求項９】
前記布基礎用型枠パネルの型枠面に防蟻部材を固定する際に、前記遮蔽部の打ち継ぎ部分に沿って延びる方向における端部を、隣接する遮蔽部の端部と重ねた状態で配置することを特徴とする請求項７又は８に記載の建物基礎の製造方法。
【請求項１０】
建築物の布基礎内に配置され地中から上に向けて延びる配管に対して、その外周面に沿って当接する遮蔽部を有する防蟻部材を固定した後、土間コンクリートを打設して前記防蟻部材を埋設し、配管の外周面と土間コンクリートとの境界部分を遮蔽する防蟻方法。
【発明の詳細な説明】
【技術分野】
【０００１】
本発明は、基礎コンクリートに形成された隙間を通じてシロアリが家屋に侵入することを防止するための防蟻部材、建物基礎の製造方法、及び防蟻方法に関する。
【背景技術】
【０００２】
一般家屋等の建築物の基礎として、同建築物の外壁面等に沿って連続して延びる基礎コンクリート（いわゆる布基礎）を採用する場合が多い。この布基礎の打設手順としては、まず地面をいくらか掘り下げた上で砕石を敷き、更に、捨てコンを打設した上に布基礎用型枠を配置する（図１７（ａ））。そして、布基礎用型枠内にコンクリートを打設し、断面凸状の布基礎２００を形成する（図１７（ｂ））。布基礎２００の硬化後に型枠を取り外し、掘った土を埋め戻す（図１７（ｃ））。この布基礎２００の上部には建築物が建てられるため、布基礎２００によって囲まれた箇所はいわゆる床下或いは縁の下となる。また、建築物の床下には配管４００等が地中から上方の建築物に向かって延びている。
【０００３】
これら建築物の床下は何らの施工を施さない限りは土がむき出しなった状態となり、周囲の布基礎２００や上部に配置された建築物により日射や風通しも悪くなって多湿環境下となってしまう。これを防止するために、布基礎２００によって区画されたエリア内の土を覆い隠すように土間コンクリート（防湿コンクリートともいう。）３００を打設し、布基礎２００によって区画された床下を土間コンクリート３００で密閉することによって床下の防湿を図っている（図１７（ｄ））。
【０００４】
しかしながら、土間コンクリート３００は、布基礎２００の打設及び配管４００の埋設等が完了した後、すなわち打設された布基礎２００が硬化した後に打設するものである。このため、硬化したコンクリートに連続して新たなコンクリートを打ち継ぐこととなり両者の接合強度が弱くなるとともに、土間コンクリート３００が硬化する際にわずかながら収縮し、この収縮によって布基礎２００と土間コンクリート３００との境界部分に隙間が生じる場合がある。このため、シロアリ等がわずかに生じた隙間から布基礎２００を通って上部の建築物へと移動し建築物に到達することによって虫害を生ずるおそれがある。このシロアリ等の侵入を防止するために布基礎２００又は配管４００と土間コンクリート３００との境界部分となる打ち継ぎ部分の周辺に防蟻薬剤を散布する等の防蟻対策を行うことが一般的手法である。
【０００５】
また、布基礎と土間コンクリートとの両間に跨って連結金具を配置し、連結強度を高めて隙間の発生を防止しているものもある（特許文献１）。
【特許文献１】特開２００２−２０６２４４号公報
【発明の開示】
【発明が解決しようとする課題】
【０００６】
ところが、このような連結金具を使用する際には、まず布基礎２００に埋設される雄部材を型枠に固定するために型枠に貫通孔を設ける必要があり専用の型枠を使用する必要がある。また、何らかの原因（経年劣化等）により境界部分に隙間ができる場合も考えられる。さらに、土間コンクリート３００を流し込む床下には、布基礎２００以外に各種用途の配管４００が地中等から床上方向に立ち上がって延びている場合もあり、土間コンクリート３００の収縮により配管４００と土間コンクリート３００との間に隙間が生じ、シロアリ等の侵入を許してしまう場合がある。
【０００７】
本発明は、建築物の布基礎又は配管における地面からの立ち上がり部と土間コンクリートとの間に隙間が生じた場合でも隙間を遮蔽することができる防蟻部材、建物基礎の製造方法、及び防蟻方法を提供することにある。
【課題を解決するための手段】
【０００８】
上記課題を解決するために、請求項１の防蟻部材は、建築物の基礎又は配管における地面からの立ち上がり部と該立ち上がり部に対して打設される土間コンクリートとの境界部分に配設される防蟻部材であって、該防蟻部材は、シロアリの通過を阻止する遮蔽部を備え、該遮蔽部は前記立ち上がり部と土間コンクリートとの境界部分に沿って延び、前記遮蔽部の立ち上がり部側の側縁部は前記立ち上がり部における境界部分に沿って立ち上がり部に埋設或いは当接され、前記遮蔽部の土間コンクリート側の側縁部は土間コンクリートに埋設されることを特徴とする防蟻部材を要旨とする。
【０００９】
請求項２では、前記遮蔽部の立ち上がり部側の側縁部が前記立ち上がり部内に埋設されることにより、立ち上がり部と土間コンクリートとの境界部分を遮蔽することを特徴とする。
【００１０】
請求項３では、前記防蟻部材は、型枠パネルに固定されるものであり、防蟻部材を型枠パネルに固定した状態で前記立ち上がり部と土間コンクリートの境界部分に沿う方向における隣接する遮蔽部同士が重なり合う重なり部が形成される長さとなっていることを特徴する。
【００１１】
請求項４では、前記立ち上がり部は布基礎であり、前記防蟻部材には、前記遮蔽部の土間コンクリート側の側縁部に連続して形成され、全体が土間コンクリートに埋設される土間コン埋設部を備えていることを特徴とする。
【００１２】
請求項５では、前記防蟻部材は、同防蟻部材を型枠パネルに固定させるための支持部を備えていることを特徴とする。
請求項６では、前記立ち上がり部は、配管であり、前記遮蔽部は、前記配管側の側縁部が配管の外周に沿って形成され前記配管の外周に当接することを特徴とする。
【００１３】
請求項７の建物基礎の製造方法では、布基礎用型枠パネルの型枠面に防蟻部材を固定して布基礎となるコンクリートを打設し、前記布基礎用型枠パネルを脱型した後に防蟻部材の遮蔽部の少なくとも一部を布基礎から突出させて、突出させた前記遮蔽部を土間コンクリートにて埋設し、布基礎と土間コンクリートとの境界部分を遮蔽することを特徴とする。
【００１４】
請求項８では、前記突出させた遮蔽部は、布基礎となるコンクリートの打設時には、布基礎用型枠パネルの型枠面に沿う方向に配置させておき、布基礎用型枠パネルを脱型した後に遮蔽部の向きを布基礎から突出する方向へと変更することを特徴とする。
【００１５】
請求項９では、前記布基礎用型枠パネルの型枠面に防蟻部材を固定する際に、遮蔽部の打ち継ぎ部分に沿って延びる方向における端部を、隣接する遮蔽部の端部と重ねた状態で配置することを特徴とする。
【００１６】
請求項１０では、建築物の布基礎内に配置され地中から上に向けて延びる配管に対して、その外周面に沿って当接する遮蔽部を有する防蟻部材を固定した後、土間コンクリートを打設して前記防蟻部材を埋設し、配管の外周面と土間コンクリートとの境界部分を遮蔽する防蟻方法を要旨とする。
【発明の効果】
【００１７】
本発明によれば、建築物の基礎又は配管における地面からの立ち上がり部と土間コンクリートとの間に隙間が生じた場合でも、その隙間を遮蔽することができ、シロアリの侵入を防ぐことができる。
【発明を実施するための最良の形態】
【００１８】
以下、本発明を具体化した防蟻部材の第一の実施形態を図１〜図７にしたがって説明する。この第一の実施形態に係る防蟻部材１０、４０は、立ち上がり部となる布基礎２００と、土間コンクリート３００との間の隙間を遮蔽するものである。
【００１９】
一般的に、布基礎２００は同一幅を有する一定高さのコンクリート壁を連続して無端状に形成し、例えば矩形状の壁面を形成するものであり、地面をいくらか掘り下げた位置からコンクリートを打設して下側に位置する広幅のベース部とその上に立ち上がり部である立壁とからなる断面凸状を形成する。そして、打設した布基礎２００が硬化した後は掘り下げ部分を埋め戻して、布基礎２００にて囲まれた領域に土間コンクリートを打設する。このような布基礎２００の基本的な打設方法は本発明においても従来方法として図１７（ａ）〜（ｄ）に示した手順と異なるものではなく、本発明は、一実施形態として立ち上がり部となる布基礎２００の立壁と土間コンクリート３００の境界部分となる打ち継ぎ部分に防蟻部材を配置することを特徴とする。このため、布基礎２００のベース部についての説明は省略する。なお、第一の実施形態において境界部分とは立ち上がり部である布基礎２００に土間コンクリート３００が打ち継がれる部分を意味し、打ち継ぎ後に両者の間に隙間が形成されるか否かは問わない。また、単に布基礎２００と記載する場合は布基礎２００の立壁を意味する。布基礎用として説明する型枠パネル１００、１０５とは布基礎２００の立壁の形成に使用される布基礎用型枠パネルを意味し、型枠とは型枠パネルを形成する布基礎２００の形状に沿って組み立てた集合体を意味する。
【００２０】
図１に直線用の型枠パネル１００に使用する防蟻部材１０の斜視図を示す。型枠パネル１００は全体として矩形状に形成されており、型枠パネル１００の左右両端部には一定幅の側壁１０１が形成されている。型枠パネル１００の一方の面には打設したコンクリートが当接し打設面を形成する型枠面１０２が配置されている。型枠パネル１００の側壁１０１にはその長手方向に沿って複数の連結孔１０３が形成されており、隣接する型枠パネル１００の側壁１０１同士を対向させて連結孔１０３同士を重ね合わせ、両連結孔１０３にＵピン１０４（先端のみ図示）を挿通させて固定することにより、型枠パネル１００同士を連結することができる（図２（ａ）（ｂ））。
【００２１】
防蟻部材１０は全体としてアングル材に似たＬ字形状をなしており、その長さは固定対象となる型枠パネル１００の型枠面１０２の長さよりも少し長く延長して形成されている。防蟻部材１０は、板状かつ長尺状の鋼材を原料とし、その幅方向における略中心位置から板材の長手方向に沿って折り曲げ加工することにより形成されている。したがって、防蟻部材１０には防蟻部材１０の長さ方向に沿って折曲部１１が形成されている。防蟻部材１０は、この折曲部１１を境界として幅方向に長い側（図１中上下に向かう側）が土間側部材１２となり、幅方向に短い側が立ち上がり部となる布基礎２００側の布基礎側部材１３となる。なお、防蟻部材１０及び防蟻部材１０を構成する各要素において防蟻部材１０の長手方向（図１の左右方向）における端部分を端部といい、長手方向に直交する方向である幅方向における端部分を側縁部という。
【００２２】
土間側部材１２は、布基礎２００と土間コンクリート３００との打ち継ぎの際に土間コンクリート３００に埋設される部分である。この土間側部材１２において折曲部１１から幅方向に一定の領域には、防蟻部材１０の長さ方向に沿って、言い換えれば布基礎２００と土間コンクリート３００との境界部分である打ち継ぎ部分に沿って、穴など布基礎側部材１３の表裏を貫通する間隙が形成されていない土間側遮蔽部１４が形成されている。そして、土間側遮蔽部１４の幅方向外側には、土間側部材１２の表裏を貫通する円形の連通孔１５が長さ方向に沿って一定間隔で穿設された土間コン埋設部１６が形成されている。すなわち、土間側遮蔽部１４の側縁部１４ａに連続して土間コン埋設部１６が形成されている。土間コン埋設部１６の外側の側縁部１６ａは土間側部材１２の側縁部１２ａでもある。図１では、土間側遮蔽部１４と土間コン埋設部１６との境界でもある土間側遮蔽部１４の側縁部１４ａを一点鎖線で示している。
【００２３】
また、土間側部材１２において、防蟻部材１０の長さ方向における一方側の端部１７からはさらに長さ方向外側に向けて突出する凸片１８が形成されている。なお、防蟻部材１０において主として凸片１８が形成されている側の端部を雄端部１７という。これに対して、長さ方向における雄端部１７の他方側となる端部１９から少し長さ方向内側の位置には、土間側部材１２の表裏を貫通し、防蟻部材１０の幅方向に長い矩形状の挿入孔２０が形成されている。主としてこの挿入孔２０が形成されている側の端部を雌端部１９という。この雌端部１９から挿入孔２０までの長さは、防蟻部材１０が型枠パネル１００の型枠面１０２の長さに対して延長形成されている長さよりも少し長い距離となっている。挿入孔２０は、隣接する防蟻部材１０の雄端部１７に形成されている凸片１８を挿入するための孔部であり、その幅は凸片１８を挿入した際にも十分な余裕がある大きさに形成されている。また、この挿入孔２０は土間側部材１２のうち土間コン埋設部１６となる領域に形成されており、凸片１８もこの挿入孔２０に対応する位置に形成されている。
【００２４】
布基礎側部材１３は、布基礎２００となるコンクリートを打設する際に布基礎２００内に埋設される部分であり、折曲部１１から幅方向に一定の領域には穴など布基礎側部材１３の表裏を貫通する間隙が形成されていない布基礎側遮蔽部２１が形成されている。そして、布基礎側遮蔽部２１の幅方向外側は、布基礎側部材１３の表裏を貫通する円形の連通孔２２が布基礎側部材１３の長さ方向に沿って一定間隔で穿設された布基礎埋設部２３となっている。すなわち、布基礎側遮蔽部２１の側縁部２１ａに連続して布基礎埋設部２３が形成されていることとなり、布基礎埋設部２３の外側の側縁部２３ａは布基礎側部材１３の側縁部１３ａでもある。図１では、布基礎側遮蔽部２１と布基礎埋設部２３との境界でもある布基礎側遮蔽部２１の側縁部２１ａを一点鎖線で示している。
【００２５】
したがって、土間側遮蔽部１４と布基礎側遮蔽部２１とを足した領域、すなわち、防蟻部材１０の折曲部１１を中心として土間側遮蔽部１４の側縁部１４ａから布基礎側遮蔽部２１の側縁部２１ａまでの領域が防蟻部材１０のうち穴など防蟻部材１０の表裏を連通する間隙が形成されていない遮蔽部２４となる。つまり、防蟻部材１０の幅方向において、土間側遮蔽部１４の側縁部１４ａが遮蔽部２４の土間コンクリート３００側の側縁部１４ａに相当し、布基礎側遮蔽部２１の側縁部２１ａが遮蔽部２４の立ち上がり部側となる布基礎２００側の側縁部２１ａに相当する。そして、この遮蔽部２４は一定幅のまま防蟻部材１０の長さ方向全域にわたって形成されており、遮蔽部２４の両側縁部１４ａ、２１ａには遮蔽部２４に連続してそれぞれ土間コン埋設部１６及び布基礎埋設部２３が形成されていることとなる。
【００２６】
なお、布基礎２００と土間コンクリート３００との打ち継ぎ部分の収縮は、布基礎２００の長さ３６００ミリメートル角の場合におよそ１ミリメートル程度である。このため、実際の建築物の施工においてコンクリートの収縮により布基礎２００と土間コンクリート３００との間に隙間が生じた場合でも、数ミリメートル程度と考えられる。したがって、遮蔽部２４の幅も布基礎２００の直線延設距離と土間コンクリート３００の収縮量との関係からある程度の余裕を見て決定すればよい。この場合でも、収縮は主に土間コンクリート３００側において生じるため、土間側遮蔽部１４を大きく採っておく方がこのましい。
【００２７】
また、布基礎側部材１３において長さ方向における一方側の端部である雄端部１７にはさらに長さ方向外側に向けて突出する凸片１８が形成されており、他方側の端部である雌端部１９から少し長さ方向内側の位置には、布基礎側部材１３の表裏を貫通し、防蟻部材１０の幅方向に長い矩形状の挿入孔２０が形成されている。この凸片１８及び挿入孔２０が布基礎埋設部２３の領域に形成されていること、雌端部１９から挿入孔２０までの長さ及び挿入孔２０の幅が凸片１８を挿入した際に余裕がある大きさに形成されていることは土間側部材１２におけるこれらの構造と同様である。一方、布基礎側部材１３の雌端部１９には防蟻部材１０を型枠パネル１００に固定させるための型枠支持部２５が形成されている。
【００２８】
図１及び図２（ａ）に示すように、型枠支持部２５は、布基礎側部材１３と略同じ幅に形成され、雌端部１９から土間側部材１２と反対方向に向けて略直角に折り曲げられた支持部本体２６を備えている。また、この支持部本体２６の型枠パネル１００側には隣接する型枠パネル１００同士の側壁１０１間に挿入される挿入片２７が形成されており、この挿入片２７には支持孔２８が形成されている。支持孔２８は、型枠パネル１００の側壁１０１に形成された連結孔１０３に重ねた場合に土間側部材１２が型枠パネル１００の型枠面１０２に沿って配置され、両者の隙間がほぼなくなる状態にて防蟻部材１０を型枠パネル１００に支持させることができる位置に形成されている。また、支持部本体２６の端部には布基礎側部材１３と平行となる方向に延びる型枠当接部２９が形成されている。
【００２９】
すなわち、防蟻部材１０は、型枠支持部２５を型枠パネル１００に支持させることにより型枠パネル１００の型枠面１０２の所定位置に位置決めするものであり、防蟻部材１０は型枠パネル１００に対して片持ちの状態で取り付けられることとなる。なお、防蟻部材１０の長さは型枠パネル１００一枚の長さよりも少し長く形成されているため、図２（ｂ）に示すように、型枠パネル１００を複数枚連続して並べて配置したときには隣接する防蟻部材１０の雄端部１７と雌端部１９とを一定長さ重ねることができ、隣接する防蟻部材１０間からのシロアリの侵入を防止することができる。
【００３０】
図３はコーナー用の型枠パネル１０５に設置する防蟻部材４０である。図４に示すようにコーナー用の型枠パネル１０５は、コーナー部１０６を有し直交する型枠面１０２が形成されている角パネル１０７、並びにその両側にそれぞれ配置される右パネル１０８及び左パネル１０９からなる３つの部材を組み合わせて形成されるユニットとなっている。なお、図４中の角パネル１０７の右側に配置される部材が右パネル１０８、左側に配置される部材が左パネル１０９である。これら、角パネル１０７に対する右パネル１０８及び左パネル１０９の接合は直線用の型枠パネル１００と同様に各パネルの側壁１０１同士を接合させて連結孔１０３同士を重ね合わせ、Ｕピン１０４を挿通して固定する。
【００３１】
防蟻部材４０は、図３（ａ）に示す第一コーナー部材４０ａと、図３（ｂ）に示す第二コーナー部材４０ｂの２つの部材から構成されており、これら第一コーナー部材４０ａと第二コーナー部材４０ｂとを組み合わせることによりコーナー用の型枠パネル１０５に設置する防蟻部材４０を形成することができる。なお、直線用の型枠パネル１００に設置される防蟻部材１０との共通構成について同じ符号を図面中に付して説明を省略し、相違点を中心に説明する。
【００３２】
図３（ａ）に示すように、第一コーナー部材４０ａは、直線用の型枠パネル１００に用いる防蟻部材１０に対して、雌端部１９側の構造が異なっている。すなわち、土間側部材１２の雌端部１９側は、その位置がコーナー部１０６で終わるように形成されており、幅方向において雄端部１７に形成されている凸片１８に対応する位置には切れ込み４１が形成され、切れ込み４１の幅方向外側には土間側部材１２の側縁部１２ａに沿って長さ方向に向かう凸片１８が形成されている。一方、布基礎側部材１３の雌端部１９側は、コーナー部１０６に対応してその向きを９０度変更して延びる延長部４２を有し、この延長部４２の先が雌端部１９となる。雌端部１９は角パネル１０７の側壁１０１に対応する位置に形成され（図４参照）、角パネル１０７に対する右パネル１０８との接合面となる側壁１０１間に挿入される型枠支持部２５を備えている。また、この延長部４２の基端となる角部分には向きが９０度変更された挿入孔２０が形成されている。
【００３３】
一方、図３（ｂ）に示すように、第二コーナー部材４０ｂも、基本構造は直線用の型枠パネル１００に用いる防蟻部材１０と共通しているが、特に雄端部１７側の構造が相違している。第二コーナー部材４０ｂは、角パネル１０７と右パネル１０８とを組み付けた状態において右パネル１０８に対して直線用の型枠パネル１００が当接する側の側壁１０１からコーナー部１０６までの長さに形成されており、その土間側部材１２の雄端部１７には凸片１８が形成されておらず、向きが９０度変更された挿入孔２０が形成されている。
【００３４】
第一コーナー部材４０ａと第二コーナー部材４０ｂとを組付けると、図４に示すように第二コーナー部材４０ｂの布基礎側部材１３が第一コーナー部材４０ａの布基礎側部材１３の延長部４２の上に重なる。そして、第二コーナー部材４０ｂの布基礎側部材１３における凸片１８を、第一コーナー部材４０ａの布基礎側部材１３の角部分に形成された挿入孔２０に挿入させる。この際、挿入された凸片１８を折り返すことにより第一コーナー部材４０ａと第二コーナー部材４０ｂとの仮止めが可能となる。特にコーナー用の型枠パネル１０５に設置する前に両者を組み付けておく方が装着作業性からも好ましい。
【００３５】
次に、この防蟻部材１０、４０を用いた布基礎２００と土間コンクリート３００の打ち継ぎ部分における遮蔽方法（建物基礎の製造方法）について説明する。
まず、防蟻部材１０を直線用の型枠パネル１００へ固定させる方法について説明する。既に述べたように布基礎２００のベース部については説明を省略し、地面の掘り下げ、ベース部用の型枠は配置されていることを前提とする。布基礎用型枠の配置には型枠パネル１００、１０５を隣接して配置し、接合面となる側壁１０１同士を当接させ、両者に形成された連結孔１０３同士にＵピン１０４を挿通して固定していき型枠パネル１００、１０５を例えば矩形状等の無端状に連結する。あわせて、これと対向する側の型枠パネルも同様に無端状に形成する。すなわち、平面視矩形状の布基礎２００を形成する場合には、回字状に型枠パネルを配置する必要がある。そして、対向する型枠面の間に上部が開放された布基礎２００用のコンクリート打設空間を形成する。
【００３６】
本発明の防蟻部材１０は、布基礎２００の内周側（布基礎２００に土間コンクリート３００が打ち継がれる側）に配置される型枠パネル１００に固定される。型枠パネル１００は一枚ずつ所定位置に配置されて隣接する型枠パネル１００との間で連結されるが、一枚の型枠パネル１００を配置する毎に一台の防蟻部材１０を使用する。すなわち、所定位置に一枚の型枠パネル１００を配置すると、これに隣接する型枠パネル１００を固定する前に、図２（ａ）に示すように型枠パネル１００の側壁１０１に防蟻部材１０の挿入片２７を当接させて、側壁１０１の連結孔１０３と挿入片２７の支持孔２８とを重ね合わせ、連結孔１０３側から両孔にＵピン１０４を通す。防蟻部材１０は、支持孔２８がＵピン１０４によって仮止めされた状態で同支持孔２８を中心として雌端部１９から見て反時計回りに回転しようとするが、型枠支持部２５に形成された型枠当接部２９が型枠面１０２に当接することにより回転が阻止され、型枠パネル１００に対して仮止めされることとなる。なお、防蟻部材１０は土間コンクリート３００に埋設される必要があることから、型枠パネル１００に対する防蟻部材１０の取り付け高さは土間コンクリート３００の打設高さよりも低い位置とする。
【００３７】
次に、防蟻部材１０を仮止めした型枠パネル１００の雌端部１９側に対して隣接する型枠パネル１００を配置する。型枠パネル１００は接合面となる側壁１０１同士を当接させて連結するため、隣接する型枠パネル１００を当接すると型枠パネル１００の側壁１０１と側壁１０１との間に防蟻部材１０の挿入片２７が挟まれた状態となる。この状態で型枠パネル１００の側壁１０１同士の連結孔１０３間に通したＵピン１０４を固定すると型枠パネル１００同士が連結され、防蟻部材１０は型枠パネル１００に固定されることとなる。なお、図２（ａ）では、型枠支持部２５を挟んだ連結孔１０３のみにＵピン１０４を図示しているが、型枠パネル１００の側壁１０１に形成されている複数の連結孔１０３全てに対してＵピン１０４を挿通し固定する。
【００３８】
続けて、新たに配置した型枠パネル１００（図２（ｂ）中の右側に示されている型枠パネル１００）に対しても防蟻部材１０を支持させる。このとき、まず布基礎側部材１３の凸片１８を先に固定した防蟻部材１０の布基礎側部材１３に形成されている挿入孔２０に挿入させてから型枠支持部２５を型枠パネル１００の側壁１０１に対し、既に説明した手順に従って仮止めする。この仮止めでは、隣接する防蟻部材１０同士が連結され、また防蟻部材１０の長さは型枠パネル１００の幅より少し長めに形成されているため、一方の防蟻部材１０の雌端部１９に他方の防蟻部材１０の雄端部１７が乗り上げる形で防蟻部材１０、１０間に重なり部３１が形成される（図２（ｂ）参照）。すなわち、防蟻部材１０は、重なり部３１の長さの分だけ型枠パネル１００よりも長く形成されている。なお、土間側部材１２の凸片１８はまだ挿入孔２０に挿入させる必要はない。
【００３９】
直線用の型枠パネル１００についてはこれらの作業を繰り返し、コーナー用の型枠パネル１０５については、予め第一コーナー部材４０ａと第二コーナー部材４０ｂとを組み付けてコーナー用の防蟻部材４０とした上でコーナー用の型枠パネル１０５に固定すればよい。また、コーナー用の防蟻部材４０では第一コーナー部材４０ａと第二コーナー部材４０ｂにそれぞれ型枠支持部２５が形成されている。このうち、第一コーナー部材４０ａに形成されている型枠支持部２５は、コーナー用の型枠パネル１０５を構成する角パネル１０７と右パネル１０８との側壁１０１間に固定させる。また、第二コーナー部材４０ｂに形成されている型枠支持部２５は、コーナー用の型枠パネル１０５を構成する右パネル１０８と隣接する型枠パネル１００の側壁１０１間に固定させる。このように型枠パネル１００、１０５の配置、連結と、これに対応する防蟻部材１０、４０の固定とを繰り返していくことにより、図５に示すように布基礎用型枠の内周側に配置される型枠パネル１００、１０５に固定された防蟻部材１０、４０が連続して設置され、無端状に連結されることとなる。あわせて、対向する型枠パネル（図５において外形のみ示す）も順次配置し布基礎用の型枠が完成する。
【００４０】
型枠パネル１００、１０５に固定された防蟻部材１０、４０について、布基礎２００となるコンクリートの打設以降の手順を図６、図７に沿って説明する。なお、図６は、直線用の型枠パネル１００とこれに固定された防蟻部材１０の断面を示す説明図であり、防蟻部材１０の厚みを誇張して示している。図６（ａ）は型枠パネル１００の型枠面１０２に防蟻部材１０が固定された状態を示すものであり、布基礎２００のコンクリート打設前である。この状態で、図６（ｂ）に示すように型枠の内部に防蟻部材１０を覆う位置までコンクリートを打設し硬化させる。コンクリートを打設することにより、防蟻部材１０のうち布基礎側部材１３は布基礎２００中に埋設されることとなる。また、布基礎埋設部２３に形成されている連通孔２２内にもコンクリートが浸入する。この連通孔２２内に浸入したコンクリートは防蟻部材１０の抜け防止として機能する。一方、土間側部材１２は型枠面１０２に沿って配置されているため土間側部材１２と型枠面１０２との間にはコンクリートが全く入らないか或いは僅か入るにすぎない。また、土間側部材１２に形成されている連通孔１５内にはコンクリートが流入するが土間側部材１２と型枠面１０２との間にはコンクリートは流入しない。
【００４１】
次に、コンクリートの硬化後に型枠パネル１００を取り外す作業を行う。型枠パネル１００の脱型時には防蟻部材１０の型枠支持部２５を挟んで型枠パネル１００同士を固定していたＵピン１０４が外されるが、布基礎側部材１３が布基礎２００中に埋設されているため型枠パネル１００の脱型に伴って防蟻部材１０が抜け外れることはない。一方、防蟻部材１０のうち土間側部材１２は型枠面１０２に沿って配置されているため、脱型により土間側部材１２が立ち上がり部となる布基礎２００の立壁から露出することとなる（図６（ｃ））。
【００４２】
そして、この布基礎２００から露出した土間側部材１２を折曲部１１から折り曲げて、布基礎２００から突出する向き（布基礎側部材１３と同じ向き）に変更する（図６（ｄ））。この作業はハンマー等の工具を使用すればよく、埋設されている全ての防蟻部材１０に対して行う。また、土間側部材１２を折り曲げる際には、防蟻部材１０間において隙間の形成を防ぐためにも雄端部１７と隣接する防蟻部材１０の雌端部１９とが重なりあった状態を維持できるようにする。このため、折り曲げ前の状態で重なり部３１において外側（型枠パネルに近い側、図２（ｂ）参照）に位置している雌端部１９を先に折り曲げ、続けて雄端部１７を折り曲げるにあたり、雄端部１７の凸片１８を雌端部１９の挿入孔２０に挿入して折り返すことによって確実に雄端部１７と雌端部１９とを面接触させて重なり合わせる。これにより、突出後にも再び重なり部３１を形成することができる。
【００４３】
なお、コーナー用の型枠パネル１０５に支持させていた防蟻部材４０にあっては、図７（ａ）に示すように土間側部材１２の折り曲げ前は第一コーナー部材４０ａと第二コーナー部材４０ｂ同士の重なりはない。そして、先に第二コーナー部材４０ｂの土間側部材１２を折り曲げ（図７（ｂ））、続けて第一コーナー部材４０ａの土間側部材１２を折り曲げてその側縁部１２ａに沿って形成されている凸片１８を、第二コーナー部材４０ｂ側の土間側部材１２における挿入孔２０に挿入する（図７（ｃ））。挿入した凸片１８は折り曲げて第一コーナー部材４０ａと第二コーナー部材４０ｂの端部同士に隙間が生じないよう重なり合わせる。
【００４４】
埋設された全ての防蟻部材１０、４０の土間側部材１２についてこの折り曲げ作業を行うと、布基礎２００の内周側には連続して土間側部材１２が突出することとなる。そして、布基礎２００の周囲の掘り下げ部分を必要に応じて埋め戻し、布基礎２００にて囲われた領域内に土間コンクリート３００を土間側部材１２が隠れる高さまで打設する（図６（ｅ））。この打設により土間側部材１２は土間コンクリート３００中に埋設されることとなる。また、土間コン埋設部１６に形成されている連通孔１５内にもコンクリートが浸入する。この連通孔１５内に浸入したコンクリートは防蟻部材１０の抜け防止として、また、土間コンクリート３００が硬化する際の収縮防止としても機能する。したがって、防蟻部材１０は、布基礎２００と土間コンクリート３００との打ち継ぎ部分に遮蔽部２４を位置させた状態で打ち継ぎ部分全域、すなわち布基礎２００の内周全域にわたって布基礎２００と土間コンクリート３００とに完全に埋設されることとなる。
【００４５】
そして、既に硬化した布基礎２００に対して土間コンクリート３００を打ち継いだ場合には、土間コンクリート３００が硬化する際にわずかながら収縮し、この収縮によって強度的に弱い布基礎２００と土間コンクリート３００との境界部分となる打ち継ぎ部分に隙間が生じる場合がある。しかし、この打ち継ぎ部分には防蟻部材１０、４０の遮蔽部２４が配置されているため、打ち継ぎ部分に隙間が生じた場合であってもその隙間に沿ってシロアリが移動してきても遮蔽部２４が隙間を横断する形で配置されているため遮蔽部２４によってそれ以上の移動を行うことができなくなる。したがって、打ち継ぎ部分におけるシロアリの通行を阻止することができる（図６（ｆ））。
【００４６】
上記実施形態の防蟻部材１０、４０及び防蟻部材を使用した建物基礎の製造方法によれば、以下のような効果を得ることができる。
（１）上記実施形態では、防蟻部材１０、４０の遮蔽部２４を布基礎２００と土間コンクリート３００と打ち継ぎ部分に沿って連続して位置させた。したがって、土間コンクリート３００の打設後の収縮等により打ち継ぎ部分に隙間ができた場合でもその隙間を遮蔽部２４が横断して遮蔽するため隙間を通じたシロアリの侵入を防止することができ、境界部分における防蟻薬剤の散布が不要になる。
【００４７】
（２）土間側遮蔽部１４の側縁部１４ａは土間コンクリート３００に、また布基礎側遮蔽部２１の側縁部２１ａは布基礎２００に埋設される。このため、土間側遮蔽部１４と布基礎側遮蔽部２１によって構成される遮蔽部２４は両側縁部１４ａ、２１ａが布基礎２００と土間コンクリート３００に埋設されることとなる。したがって、布基礎２００及び土間コンクリート３００と遮蔽部２４との間にも隙間は生じない。
【００４８】
（３）防蟻部材１０、４０は既存の型枠パネル１００、１０５に対して設置固定するため、型枠パネル１００、１０５として既存の型枠パネルを使用することができる。
（４）遮蔽部２４の両側縁部１４ａ、２１ａにはそれぞれ土間コン埋設部１６と布基礎埋設部２３とが遮蔽部２４に連続して形成されている。したがって、遮蔽部２４の両側縁部１４ａ、２１ａの埋設をより確実なものとすることができる。また、土間コン埋設部１６と布基礎埋設部２３とに複数の連通孔１５、２２を形成した。コンクリート打設時にはこの連通孔１５、２２内にもコンクリートが浸入し、防蟻部材１０、４０の抜け防止、また土間コンクリート３００の硬化時の収縮防止に機能する。
【００４９】
（５）防蟻部材１０、４０には、型枠パネル１００、１０５に固定するための型枠支持部２５が備えられている。このため、防蟻部材１０、４０を型枠パネル１００、１０５に位置決めして固定することができる。
【００５０】
（６）防蟻部材１０、４０は型枠パネル１００、１０５の長さよりも少し長く形成されている。このため、防蟻部材１０、４０を隣接して使用する際に防蟻部材１０、４０の雄端部１７と雌端部１９とを重ねて重なり部３１を形成することができ、複数の防蟻部材１０、４０を設置した場合でも連続して遮蔽部を形成することができ、防蟻部材１０、４０間の隙間の形成を防止することができる。
【００５１】
（７）防蟻部材１０、４０の雄端部１７には凸片１８を、また雌端部１９には挿入孔２０を形成している。このため、隣接する防蟻部材１０、４０の雄端部１７と雌端部１９との連結を確実なものとすることができる。
【００５２】
（８）防蟻部材１０、４０をＬ字状に形成して土間側部材１２と布基礎側部材１３とし、土間側部材１２を型枠面１０２に沿わせて配置して防蟻部材１０、４０を布基礎２００に埋設したあと、土間側部材１２を布基礎２００から突出させ、その後に土間コンクリート３００を打設している。このため、防蟻部材１０、４０を布基礎２００と土間コンクリート３００との双方に確実に埋設させることができる。
【００５３】
（９）遮蔽部２４により防蟻部材１０、４０を介した湿気も遮断されるため、建物基礎部分の防湿にも寄与することができる。
なお、上記実施形態は以下のように変更してもよい。
【００５４】
○  布基礎２００から突出させた土間側部材１２の雄端部１７と雌端部１９の重なり部３１に対し、土間コンクリート３００の打設前に樹脂等を注入してもよい。これにより雄端部１７と雌端部１９間での隙間をより簡単に防止することができる。
【００５５】
○  防蟻部材１０、４０同士の重なり部３１において雌端部１９を雄端部１７の下となるように配置したが、これは逆でもよい。この場合、土間側部材１２の向き変更は重なり部３１において先に雄端部１７の向きを変更し、続けて雌端部１９の向きを変更する。また、雌端部１９の向きを変更する際に雄端部１７に形成されている凸片１８を挿入孔２０に向けておく。
【００５６】
○  防蟻部材１０、４０を型枠パネル１００、１０５に固定させる際に、土間側部材１２の側縁部１２ａと型枠面１０２とをテープ或いはシート状磁石等により封止してもよい。これにより土間側部材１２と型枠面１０２との間に隙間がある場合でもコンクリートの流入を防止することができる。
【００５７】
○  土間コン埋設部１６及び布基礎埋設部２３の何れか一方或いは両方を省略してもよい。防蟻部材１０、４０の遮蔽部２４が打ち継ぎ部分に確実に位置することができるのであればよい。ただし、土間コン埋設部１６及び布基礎埋設部２３を省略すると防蟻部材１０、４０の幅方向における長さが短くなり、脱型後の折り曲げが難しくなることから、遮蔽部２４の幅をある程度長くすることが好ましい。
【００５８】
○  図１では同図中右側に型枠支持部２５と挿入孔２０を形成した雌端部１９とし、左側に凸片１８を形成した雄端部１７としたが、これらの配置を左右逆にしてもよい。また、その双方を混在して使用するのでもよい。これにより使い勝手が向上する。なお、双方を混在して使用する場合には図８（ａ）に示す両端が雌端部１９となった防蟻部材１０ａや図８（ｂ）に示す両端が雄端部１７となった防蟻部材１０ｂをアダプターとして使用することができる。なお、両端が雌端部１９となった防蟻部材１０ａは、両端に型枠支持部２５が形成されているため、型枠パネル１００の長さと同じ長さに形成されている。一方、図８（ｂ）に示す両端が雄端部１７となった防蟻部材１０ｂは、両隣の防蟻部材１０、４０の雌端部１９との間に重なり部３１を形成する必要があるため、通常の防蟻部材１０に比して更に重なり部３１一つ分の長さだけ長く形成する。
【００５９】
○  防蟻部材１０、４０は鋼材を使用し、遮蔽部２４は防蟻部材１０、４０の表裏を連通する間隙が形成されていない状態となっている。シロアリは直径０．８ミリメートル以上の隙間があればその隙間を通過することができるとされているため、土間コンクリート３００硬化後に残存する短径が０．８ミリメートル未満の穴、スリット等であれば防蟻部材１０、４０の表裏を連通する間隙が形成されていてもよい。
【００６０】
○  折曲部１１として隙間が形成されないヒンジ部材を用い、このヒンジに土間側部材１２と布基礎側部材１３とを固定してもよい。これにより土間側部材１２を布基礎２００から突出させるため折り曲げ作業が容易となる。
【００６１】
○  型枠支持部２５を布基礎側部材１３から下に向けて形成したが、これに限られず、反対に型枠支持部２５を上に向けて形成したり、布基礎側部材１３から延びる長さを変更してもよい。例えば、型枠パネル１００、１０５の側壁１０１に形成された連結孔１０３の位置が土間コンクリート３００の打設高さよりも高い位置にある場合は防蟻部材１０の位置もその連結孔１０３よりも低い位置としなければならない。このような場合に、防蟻部材１０の型枠支持部２５が上に向かうものであれば、防蟻部材１０を型枠パネル１００の連結孔１０３より低い位置に固定することができる。
【００６２】
○  １つの型枠パネル１００、１０５に一つの防蟻部材１０、４０を固定することとしたが、これに限られず、２つ以上の型枠パネル１００、１０５に対応する長さの一つの防蟻部材を形成してもよく、また１つの型枠パネル１００、１０５に複数の防蟻部材を使用するように防蟻部材の長さを設定してもよい。
【００６３】
○  防蟻部材１０、４０を型枠支持部２５を介して型枠パネル１００、１０５に固定していたが、型枠支持部２５を省略してもよい。なお、例えば、防蟻部材１０を型枠面１０２へ固定するためには、防蟻部材１０と同じ程度の長さのシート状磁石３０を準備し、図９（ａ）に説明図を示すように、型枠面１０２の所定位置に防蟻部材１０を手などで当接させ、土間側部材１２の側縁部１２ａと型枠面１０２の間にシート状磁石３０を取り付ける。そうすると、防蟻部材１０はシート状磁石３０を介して型枠面１０２に固定されることとなる。そして、上記実施形態と同様の手順で布基礎２００を打設し、硬化後に脱型するとシート状磁石３０と土間側部材１２とが布基礎２００の打設面に露出するため、図９（ｂ）に示すように土間側部材１２を布基礎２００から突出するように向きを変更すればよい。この構成では、型枠面１０２に対する防蟻部材１０の取り付け高さを自由に設定することができるという利点があり、また、防蟻部材１０のみを後付で型枠パネル１００に支持させることができるため、防蟻部材１０の固定と型枠パネル１００の配置と同時に進める必要がないという利点がある。
【００６４】
○  また、磁石を用いて型枠へ固定する場合には、上記変形例のようにシート状磁石に限らず、複数個のブロック状の磁石を一定間隔で土間側部材１２の側縁部１２ａと型枠面１０２に掛かるように取り付けてもよい。
【００６５】
○  磁力により防蟻部材１０、４０を型枠パネル１００、１０５に固定するには、防蟻部材１０、４０自体に磁性を帯びさせて磁石化させることにより、防蟻部材１０、４０をそれ自身の磁力により型枠パネル１００、１０５の型枠面１０２に固定させてもよい。
【００６６】
次に、上記実施形態の第二の実施形態を図１０〜図１３に従って、第一の実施形態との相違点を中心として説明する。また、第一の実施形態と同じ構成については第一の実施形態にて使用した名称、符号を使用する。
【００６７】
第二の実施形態は型枠パネル１００に対して別体のインサート金具４３を固定させ、そのインサート金具４３に防蟻部材５０を支持させる構成である。図１０（ａ）に斜視図を、また図１０（ｂ）に側面図を示すように、インサート金具４３は、型枠パネル１００の側壁１０１を挟んで弾性的に挟持する一対の挟持片４４を有する先端部４５と、先端部４５から布基礎２００の打設空間側に向かって延び、表面に複数の円孔４６が形成されたインサート部４７とから構成される。このインサート金具４３は先端部４５において型枠面１０２に沿う位置に脆弱部４８が形成されており、型枠パネル１００の脱型後は布基礎２００から突出している先端部を脆弱部４８から折り外すことができる。
【００６８】
一方、図１１に示すように、防蟻部材５０は型枠支持部５１の形状が第一の実施形態と異なっている。この防蟻部材５０では雌端部１９から土間側部材１２の向きと反対方向に向けて直角に折り曲げられた幅狭の支持片５２が形成されており、支持片５２の先端は内側に向けて折り曲げられた係止片５３となっている。防蟻部材５０の支持片５２の長さはインサート金具４３の上縁から円孔４６の中心までの長さと同じに形成されている。
【００６９】
この防蟻部材５０の型枠パネル１００への使用方法について説明する。まず、型枠パネル１００を配置する際にインサート金具４３だけを型枠パネル１００の側壁１０１に挟持させる（図１０（ｂ））。続けて、隣接する型枠パネル１００の側壁１０１を既に固定した型枠パネル１００の側壁１０１に当接させて型枠パネル１００、１００同士を連結することによりインサート金具４３は型枠パネル１００間に挟まれて固定される。この状態で、図１２（ただし、型枠パネルは図示略）に示すように防蟻部材５０をインサート金具４３上に載置し、係止片５３の先端をインサート金具４３の円孔４６に挿入する。すると、防蟻部材５０がインサート金具４３に装着され、防蟻部材５０はインサート金具４３を介して型枠パネル１００に固定されることになる（図１３（ａ））。
【００７０】
その後は型枠パネル１００の配置と、インサート金具４３の型枠パネル１００への固定及び防蟻部材５０の装着を繰り返していけばよく、また、防蟻部材５０の重なり部３１は第一の実施形態と同様にすればよい。布基礎２００を打設、脱型した後も第一の実施形態と同様に、土間側部材１２を折曲部１１から折り曲げて布基礎２００から突出させればよい。また、インサート金具４３は脆弱部４８から折り取ることができるため、不要な場合には除去すればよい（図１３（ｂ））。なお、コーナー用の型枠パネル１０５に設置する防蟻部材については具体的説明を省略するが、第一の実施形態の防蟻部材１０に対して型枠支持部２５の形状を変更すればよい。この防蟻部材５０では雌端部１９の型枠支持部５１の形状を変更したことにより、型枠パネル１００へは軽量、小型なインサート金具４３のみを固定し、その後に防蟻部材５０を装着すればよいため作業が容易となる。
【００７１】
次に、第三の実施形態を図１４〜図１６にしたがって説明する。第三の実施形態は、立ち上がり部としての配管４００に対して配設される防蟻部材６０である。布基礎２００で囲まれた領域内には地中に埋設されているガス管や上下水道管あるいは電気配線を収容した円筒形状の中空管等（これらをまとめて「配管」という。）４００が上方向に立ち上がって延びていることがあり（図５参照）、土間コンクリート３００を打設する場合にはこの立ち上がり部である配管４００との境界部分にも隙間が生じる可能性がある。本実施形態の防蟻部材６０は、この配管４００と土間コンクリート３００との境界部分における隙間を遮蔽するものである。
【００７２】
図１４は、防蟻部材６０の斜視図である。防蟻部材６０は、全体として五円硬貨のように中央に円形の内孔６１を有する円盤状に形成されている。防蟻部材６０は内孔６１に面する内周縁が配管４００側の側縁部６２となって配管４００の外周面に当接し、この側縁部６２から径方向外側における一定幅領域が遮蔽部６３となっている。すなわち、この配管４００側の側縁部６２が遮蔽部６３の立ち上がり部側の側縁部６２に相当する。
【００７３】
遮蔽部６３には、遮蔽部６３に連続して土間コン埋設部６４が形成されている。すなわち、遮蔽部６３と土間コン埋設部６４との間が遮蔽部６３における土間コン埋設部６４側の側縁部６３ａとなる。図１４、図１５では遮蔽部６３における土間コン埋設部６４側の側縁部６３ａを一点鎖線で示しており、遮蔽部６３における土間コン埋設部６４側の側縁部６３ａが遮蔽部６３の土間コンクリート側の側縁部６３ａに相当する。
【００７４】
また、土間コン埋設部６４には、防蟻部材６０の表裏を貫通する連通孔６５が周方向に沿って一定間隔で穿設されている。すなわち、中央に内孔６１を有する円盤状の防蟻部材６０においては、内周側の側縁部６２から土間コン埋設部６４に連続する側縁部６３ａまでの径方向における一定幅の円周部分が遮蔽部６３となり、遮蔽部６３の外周側に連続して土間コン埋設部６４が形成されている。本実施形態の防蟻部材６０は、第一及び第二の実施形態と異なり遮蔽部２４が立ち上がり部である配管４００に埋設されるのではなく当接するものである。このため、この遮蔽部６３の幅は第一の実施形態にて説明した遮蔽部２４に比して立ち上がり部に埋設されない分の幅を短くすることができる。
【００７５】
防蟻部材６０は、一定の厚みを有する鋼材を打ち抜き形成等してＣ字状に形成された二枚の半円部材６６を対向した状態で組み合わせて構成されており、両半円部材６６は略対象形状に形成されている。以下、両半円部材６６の構成について共通する構成はまとめて説明し、相違する構成については個別に説明する。
【００７６】
図１５に示すように、半円部材６６の内周縁は防蟻部材６０における遮蔽部６３の側縁部６２を構成し、固定対象となる配管４００の外周面の直径と同径の円弧面が形成されている。また、半円部材６６における周方向の一端側の端部には半円形に突出する連結片６７が形成され、この連結片６７の中央には係止孔６８が形成されている。連結片６７同士が重なり合った状態で両係止孔６８はボルト止めされ、両連結片６７が面接触した状態で摺動することができ、両半円部材６６は係止孔６８を支点として相対回動可能となっている。各半円部材６６の他端部のうち内周側の遮蔽部６３を構成する領域では遮蔽部６３の幅より僅かに大きな半円形状をなす突出片６９が形成されている。この突出片６９は防蟻部材６０を配管４００に装着した際の重なり部７０となるものである。他方、各半円部材６６の他端部のうち土間コン埋設部６４を構成する領域では両端部に対向して第一起立片７１と第二起立片７２とがそれぞれ形成されており、これらの構成は各半円部材６６にて相違している。
【００７７】
すなわち、第一起立片７１には挿通孔７３が形成され、一方、第二起立片７２には、各半円部材６６の連結片６７と突出片６９とをそれぞれ重ね合わせて面接触させた状態（図１４に示す状態）で挿通孔７３に対向する位置に挿通孔７３よりも少し小さな径のネジ穴７４が形成され、ネジ７５が挿通孔７３を通ってネジ穴７４に螺合されている。このため、ネジ穴７４に対するネジ７５の進退によって第一起立片７１と第二起立片７２の採り得る間隔が変化し、これに伴い両半円部材６６によって形成される内孔６１の形状も変化する。そして、この内孔６１の形状は、ネジ７５がネジ穴７４に螺合した状態でネジ７５の進退に伴う形状変化の過程で支持対象となる配管４００の外周面に合致し、遮蔽部６３の側縁部６２が配管４００の外周面に沿って当接する形状を採ることができる。
【００７８】
以下、この防蟻部材６０を用いて地中から上に向かって延びる配管４００に対する土間コンクリート３００の境界部分における防蟻方法について説明する。
まず、防蟻部材６０の第一起立片７１、第二起立片７２においてネジ穴７４に対するネジ７５の螺合を解除させ、図１５（ａ）に示すように両半円部材６６を相対回動させていわゆる口を開いた状態とする。そして、このまま支持対象とする配管４００に対して土間コンクリート３００によって埋設される高さ部分を半円部材６６の一方の内周側に当接させ、一方の半円部材６６を回動させて口を閉じる。そして、第一起立片７１、第二起立片７２においてネジ７５を挿通孔７３を介してネジ穴７４に螺合させ締め付けていく。各半円部材６６の内周は配管４００の直径と同じ径の円弧面が形成されており、ネジ７５を締め付けていくと両半円部材６６の内周、すなわち、防蟻部材６０の遮蔽部６３の側縁部６２が配管４００の外周に沿ってその全周にわたり当接された状態となる。また、各半円部材６６の突出片６９同士が重なり合って重なり部７０が形成される（図１５（ｂ）、（図１６（ａ））。
【００７９】
このように、防蟻部材６０を配管４００に固定させた状態で土間コンクリート３００を打設すると、防蟻部材６０は土間コンクリート３００中に埋設される（図１６（ｂ））。そして、土間コンクリート３００が硬化する際に収縮が生じ、配管４００と土間コンクリート３００の間に隙間が形成された場合でも、配管４００の外周には防蟻部材６０の遮蔽部６３が配管４００の外周面に沿って当接しているため、配管４００と防蟻部材６０との間にシロアリの侵入を許容するような隙間が生じさせない（図１６（ｃ））。なお、防蟻部材６０の内周側の側縁部６２と配管４００の外周との間に隙間が生じる場合があっても（例えば、配管４００の変形、傷等）、打設した土間コンクリート３００がその隙間に入るため、実質的に隙間はほとんど埋められることとなる。
【００８０】
また、防蟻部材６０の遮蔽部６３は径方向に一定幅を有して形成されているため、土間コンクリート３００が収縮してもなお遮蔽部６３は土間コンクリート３００に埋設された状態を維持する。したがって、配管４００の外周面と土間コンクリート３００との境界部分に土間コンクリート３００の収縮に伴う隙間が形成されても、その隙間は防蟻部材６０の遮蔽部６３が横断して遮蔽することとなる。
【００８１】
上記第三の実施形態の防蟻部材によれば、第一、第二の実施形態による効果に加えて以下のような効果を得ることができる。
（１）第三の実施形態では、防蟻部材６０を立ち上がり部となる配管４００の外周に沿って配管４００の全周にわたり当接することができる形状に形成した。このため、配管４００と土間コンクリート３００との境界部分に生じる隙間も遮蔽部６３が横断して遮蔽することができる。
【００８２】
（２）半円部材６６を２つ組み合わせて一端を支点として他端を開閉可能に構成している。このため、配管４００への組み付けが容易となる。また、半円部材６６同士の他端をネジ７５で締め付けて配管４００に固定するため、防蟻部材６０の配管４００への固定が容易となる。
【００８３】
なお、本実施形態は以下のように変更してもよい。
○  突出片６９は先端側から基端側に向けて厚みが太くなるテーパ形状としてもよい。これにより、ネジ７５の締め付けによって重なり部７０の面接触をより確実なものとすることができる。
【００８４】
○  予めあるいは防蟻部材６０を配管４００に当接した後に、半円部材６６の内周側の円弧面に弾性のある樹脂等を塗布してもよい。これにより、土間コンクリート３００の打設前に遮蔽部６３と配管４００との間に僅かな隙間も生じなくさせることができる。
【００８５】
○  遮蔽部６３の土間コン埋設部６４を省略してもよい。遮蔽部６３が径方向に一定幅に形成されていることにより遮蔽部６３の外周側の側縁部６３ａが全周にわたって土間コンクリート３００に埋設されていればよい。
【００８６】
○  防蟻部材６０は、土間コンクリート３００の表面と直交する方向に延びる配管４００に対して固定する構成としたが、土間コンクリート３００の表面に対して斜め方向に延びる配管４００に対して固定する構成としてもよい。この場合、防蟻部材６０は土間コンクリート３００の表面と平行になるように配管４００に固定することが望ましいため、防蟻部材６０の内孔６１は楕円となり、内孔６１に面する内周縁となる側縁部６２も楕円となる。
【図面の簡単な説明】
【００８７】
【図１】防蟻部材の斜視図。
【図２】（ａ）は防蟻部材の雌端部の斜視図、（ｂ）は防蟻部材の連結部分の斜視図。
【図３】コーナー用の防蟻部材の斜視図、（ａ）は第一コーナー部材、（ｂ）は第二コーナー部材。
【図４】コーナー用の防蟻部材の設置状態を示す斜視図。
【図５】防蟻部材を設置した型枠の平面図。
【図６】（ａ）、（ｂ）、（ｃ）、（ｄ）、（ｅ）、（ｆ）は、図１のＡ−Ａ線断面図における、それぞれ防蟻部材の使用方法の手順を示す説明図。
【図７】（ａ）、（ｂ）、（ｃ）は、コーナー用の防蟻部材の折り曲げ方法を示す斜視図。
【図８】（ａ）、（ｂ）は、防蟻部材の他の実施形態の斜視図。
【図９】（ａ）、（ｂ）は、防蟻部材の他の実施形態の説明図。
【図１０】（ａ）はインサート金具の斜視図、（ｂ）は型枠パネルへの装着を示す側面図。
【図１１】第二の実施形態の防蟻部材の斜視図。
【図１２】インサート金具と防蟻部材の組み付け状態を示す斜視図。
【図１３】第二の実施形態の防蟻部材の使用方法の説明図、（ａ）は型枠パネル装着時、（ｂ）は布基礎打設後。
【図１４】第三の実施形態の防蟻部材の斜視図。
【図１５】（ａ）は防蟻部材のいわゆる口を開いた状態、（ｂ）は口を閉じた状態。
【図１６】図１５（ｂ）のＢ−Ｂ線断面図、（ａ）は土間コンクリート打設前、（ｂ）は土間コンクリート打設後、（ｃ）は土間コンクリートが収縮した状態。
【図１７】布基礎コンクリートの打設手順を示す説明図、（ａ）は布基礎用の型枠、及び配管を配置した状態、（ｂ）は布基礎用のコンクリートを打設した状態、（ｃ）は布基礎用の型枠を外した状態、（ｄ）は土間コンクリートを打設した状態。
【符号の説明】
【００８８】
１０，１０ａ，１０ｂ，４０，５０，６０…防蟻部材、１４ａ…側縁部（遮蔽部の土間コンクリート側の側縁部）１６，６４…土間コン埋設部、１７…端部（雄端部）１９…端部（雌端部）、２１ａ…側縁部（遮蔽部の立ち上がり部側の側縁部）、２４，６３…遮蔽部、２５…型枠支持部（支持部）、３１，７０…重なり部、１００，１０５…型枠パネル（布基礎用型枠パネル）、１０２…型枠面、２００…布基礎（立ち上がり部）、３００…土間コンクリート、４００…配管（立ち上がり部）。
【図１】
2010043464.tif 000003
【図２】
2010043464.tif 000004
【図３】
2010043464.tif 000005
【図４】
2010043464.tif 000006
【図５】
2010043464.tif 000007
【図６】
2010043464.tif 000008
【図７】
2010043464.tif 000009
【図８】
2010043464.tif 000010
【図９】
2010043464.tif 000011
【図１０】
2010043464.tif 000012
【図１１】
2010043464.tif 000013
【図１２】
2010043464.tif 000014
【図１３】
2010043464.tif 000015
【図１４】
2010043464.tif 000016
【図１５】
2010043464.tif 000017
【図１６】
2010043464.tif 000018
【図１７】
2010043464.tif 000019